(57)【要約】【課題】幹線ケーブルから直線状態のままでの分岐接続を可能としたことにより材料コスト作業コストを大幅に低減でき、分岐部分をコンパクト化することもできるエレベータ昇降路配線分岐方法及びエレベータ昇降路配線を提供すること。【解決手段】幹線ケーブル２８を構成する複数本の配線２８ａのうち、途中で分岐されない配線２８ａ２を所定本数以上確保して幹線ケーブル２８の荷重をこれらの配線２８ａ２に負担させる。また、分岐接続されるために切断された配線２８ａ１は、その切断端が接続具３１内にて、所定の間隔を保って突合せ状に配置され、接続具３１によって分岐線２９と共に一体的に結合される。このため、この分岐接続部分に幹線ケーブル２８の荷重が掛かることはなく、しかもループ状に形成する必要がないため、配線構造が簡素化され、配線作業コストや材料コストを大幅に低減でき、作業者に対する負担も軽減される。【選択図】　図１
2004067361.tif 000002
【特許請求の範囲】
【請求項１】
複数階からなる建物のエレベータ昇降路における配線分岐方法であって、
複数本の配線を束ねた幹線ケーブルを前記昇降路に沿って敷設し、
途中階にて分岐を行なう場合は、分岐対象となる配線を切断し、その切断端が所定の間隔を保って突合せ状態となるように、分岐線の一端と共に接続具によって一体的に導電結合させており、
前記幹線ケーブルは、その最上部から最下部までの間で分岐されない配線を所定本数以上有する
ことを特徴とするエレベータ昇降路配線分岐方法。
【請求項２】
幹線ケーブルは、分岐される配線を外周側に配置して束ね、外周側の配線から分岐を行なうことを特徴とする請求項１に記載のエレベータ昇降路配線分岐方法。
【請求項３】
複数階からなる建物のエレベータ昇降路における配線であって、
複数本の配線を束ねて構成され、前記昇降路に沿って敷設された幹線ケーブルと、
この幹線ケーブルの、分岐のために切断された配線の切断端を、所定の間隔を保って突合せ状に対峙させ、分岐線の一端と共に一体的に導電結合させる接続具と備え、
前記幹線ケーブルは、途中で分岐されない配線を所定本数以上有することを特徴とするエレベータ昇降路配線。
【請求項４】
幹線ケーブルは、分岐される配線を外周側に配置して束ね、外周側の配線から分岐されることを特徴とする請求項３に記載のエレベータ昇降路配線。
【請求項５】
接続具は、導電性材質による管状のもので、その一端には切断された配線の一方の切断端が挿入され、他端には切断された配線の他方の切断端及び分岐線の一端が挿入され、これらはそれぞれ一体的にカシメられていることを特徴とする請求項３に記載のエレベータ昇降路配線。
【発明の詳細な説明】
【０００１】
【発明の属する技術分野】
本発明は、エレベータ昇降路に敷設される幹線ケーブルから途中階への分岐を行なうエレベータ昇降路配線分岐方法及びエレベータ昇降路配線に関する。
【０００２】
【従来の技術】
エレベータが設けられた建物のエレベータ昇降路には、エレベータの運転に必要な信号や電力等を伝達するための幹線ケーブルが、昇降路に沿って垂直に敷設されている。すなわち、建物の上部にはエレベータを運転制御するための制御盤が設けられており、この制御盤から、最下階のピットまでの昇降路内に幹線ケーブルを垂下している。
【０００３】
建物の各階エレベータホールには、乗場位置表示灯や呼びボタン、エレベータのドアスイッチ等が設けられており、また、最上階と最下階には位置検出用のリミットスイッチが設けられている。さらに、最下階のピット内には照明用電源設備や地震感知器等、エレベータの運転に関する各種の電気機械設備がそれぞれ設けられている。
【０００４】
昇降路に配置された幹線ケーブルは、最上階から最下階のピットまでに設けられた上述の各種の機器・器具と接続するため各階毎に分岐接続される。このように幹線ケーブルは、各種の信号を伝達したり、或いは、電力を供給するために、複数本の配線を束ねた構造であり、対象階毎に所定の配線が分岐される。
【０００５】
このような幹線ケーブルの敷設やその分岐構造等については、特公昭６３−６６１３０号公報、特開平７−２４６２号公報、特開平７−２３５２２２号公報等により種々提案されている。
【０００６】
図７及び図８は、従来の構造を示している。図７において、１１はエレベータを設置した建物で、最上階１１ａ、中間階１１ｂ、最下階１１ｃの３階構造とし、これら各階を垂直に貫通するエレベータ昇降路１１ｈが形成されている。エレベータ昇降路１１ｈ内には、建物１１の上部に設置した図示しない制御盤から、幹線ケーブル１２が最下階１１ｃのピットまで垂下されている。この幹線ケーブル１２は複数本の配線を束ねた構造のものであり、各階に設けた各種のエレベータ関連機械・器具に接続するため、分岐線１３とそれぞれ分岐接続している。
【０００７】
この分岐接続部分を図８により説明する。最上階１１ａ及び中間階１１ｂの分岐接続部分は図８（ａ）で示すように構成される。すなわち、幹線ケーブル１２を構成する配線のうち、分岐接続対象の配線１２ａを切断し、その切断部分を配線接続端子１４により分岐線１３の先端と導電接続している。この場合、分岐接続部分の幹線ケーブル１２をループ状に形成し、結束バンド１５でループ部分及び分岐部分を強固に結束していた。
【０００８】
このように構成すると、分岐部分には幹線ケーブル１２の荷重（自重）が加わらず、分岐部分をこの荷重から保護している。
【０００９】
もちろん、工事完了後は、幹線ケーブル１２はワイヤなどの支持部材によって強固に支持されるが、工事途中の間は、幹線ケーブル１２のみで垂下されるため、幹線ケーブル１２には自重による荷重が加わることになり、図８（ａ）のように、分岐接続部分に荷重が加わらないように保護する必要がある。
【００１０】
なお、最下階１１ｃの分岐部分は幹線ケーブル１２の荷重が掛からないため、図８（ｂ）で示すように、幹線ケーブル１２をＵターンさせた後、分岐対象配線１２ａの先端を、分岐線１３の先端と配線接続端子１４を介して導電接続している。
【００１１】
【発明が解決しようとする課題】
このように、幹線ケーブル１２を、最下階以外の各分岐接続部分においてループ状に形成し、結束バンド１５で固定しているため、分岐作業に要する労力が多大で、作業者への負担が大きい。また、幹線ケーブル１２は、本来の階数分の長さに対し、ループ部分の長さ分（０．９ｍ程度／１階床）余分に必要となる。
【００１２】
特に高層建物の場合、ループ部分の長さが階数分累積されるため、多くの長さが必要となる。この他、結束バンド１５なども必要となる。これらの結果、作業コスト、材料コスト共に多大となる。
【００１３】
また、分岐接続部分には保護カバーを設けるが、ケーブル１２をループ状に形成しているため、図示のように、３本のケーブル１２を並設した場合と同じ状態となる。このため、ケーブル３本分を収容できる大形のボックス状カバーが必要となり、取り扱いが面倒であると共に、狭い昇降路１１ｈ内でのコンパクト化に限界がある。
【００１４】
本発明の目的は、幹線ケーブルから直線状態のままでの分岐接続を可能としたことにより、材料コスト及び作業コストを大幅に低減でき、分岐部分をコンパクト化することもできるエレベータ昇降路配線分岐方法及びエレベータ昇降路配線を提供することにある。
【００１５】
【課題を解決するための手段】
本発明は、複数階からなる建物のエレベータ昇降路における配線分岐方法であって、複数本の配線を束ねた幹線ケーブルを前記昇降路に沿って敷設し、途中階にて分岐を行なう場合は、分岐対象となる配線を切断し、その切断端が所定の間隔を保って突合せ状態となるように、分岐線の一端と共に接続具によって一体的に導電結合させており、前記幹線ケーブルは、その最上部から最下部までの間で分岐されない配線を所定本数以上有することを特徴とする。
【００１６】
この発明では、幹線ケーブルは、分岐される配線を外周側に配置して束ね、外周側の配線から分岐を行なうとよい。
【００１７】
また、本発明によるエレベータ昇降路配線は、複数階からなる建物のエレベータ昇降路における配線であって、複数本の配線を束ねて構成され、前記昇降路に沿って敷設された幹線ケーブルと、この幹線ケーブルの、分岐のために切断された配線の切断端を、所定の間隔を保って突合せ状態となるように、分岐線の一端と共に一体的に導電結合させる接続具とを備え、前記幹線ケーブルは、途中で分岐されない配線を所定本数以上有することを特徴とする。
【００１８】
また、本発明では、幹線ケーブルは、分岐される配線を外周側に配置して束ねたものを用いるとよい。
【００１９】
さらに、本発明では、接続具は、導電性材質による管状のもので、その一端には切断された配線の一方の切断端が挿入され、他端には切断された配線の他方の切断端及び分岐線の一端が挿入され、これらは一体的にカシメられているものを用いるとよい。
【００２０】
これらの発明では、幹線ケーブルを構成する複数本の配線のうち、途中で分岐されない配線を所定本数以上確保している。また、分岐接続されるために切断された配線は、その切断端が接続具内にて、所定の間隔を保って突合せ状に配置され、接続具によって分岐線と共に一体的に導電結合される。このため、この分岐接続部分に幹線ケーブルの荷重が掛かることはなく、しかもループ状に形成する必要がないため、配線構造が簡素化され、配線作業コストや材料コストを大幅に低減でき、作業者に対する負担も軽減される。
【００２１】
【発明の実施の形態】
以下、本発明によるエレベータ昇降路配線分岐方法及びエレベータ昇降路配線の一実施の形態を、図面を参照して説明する。
【００２２】
図１はこの実施の形態の全体構成を示している。図中、建物１１は従来と同様にエレベータを設置しており、最上階１１ａ、中間階１１ｂ、最下階１１ｃの３階構造（勿論３階以上の多階構造でもよい）とする。また、これら各階１１ａ，１１ｂ，１１ｃを垂直に貫通するエレベータ昇降路１１ｈが形成されている。
【００２３】
この建物１１の各階１１ａ，１１ｂ，１１ｃのエレベータ昇降路１１ｈに隣接したエレベータホールには、それぞれ乗場出入口２１が設けられ、そこには乗場位置表示灯２２や呼びボタン２３、エレベータのドアスイッチ２４等が設けられている。また、最上階１１ａ及び最下階１１ｃには位置検出用のリミットスイッチ２５，２６が設けられ、さらに、最下階１１ｃのピット内には、図示しないが、照明用電源設備や地震感知器等、エレベータの運転に関する各種の電気機械設備がそれぞれ設けられている。
【００２４】
エレベータ昇降路１１ｈ内には、建物１１の上部に設置された図示しない制御盤から幹線ケーブル２８が、最下階１１ｃのピットまで垂下されている。この幹線ケーブル２８は、図３で示すように複数本（例えば、３０〜３７本）の配線２８ａを多層に束ね、その外周をビニルなどによる外装２８ｂで覆った多芯構造のものである。これら配線２８ａのうち、何本かは途中階１１ａ，１１ｂに設けた各種のエレベータ関連機械・器具２２，２３，２４，２５に接続するため、分岐線２９とそれぞれ分岐接続している。
【００２５】
ここで、多層に束ねられた複数本の配線２８ａのうち、分岐線２９と分岐される分岐対象の配線２８ａ１はハッチングしたように外側の層に配置し、最下端まで分岐しない配線２８ａ２はその内側の層に配置する。このように配置すると、外側に位置する配線２８ａから順次分岐を行なうこととなるので、分岐作業が容易になる。
【００２６】
次に、分岐接続部分を図２により説明する。なお、図２（ａ）は最上階１１ａ及び中間階１１ｂ（これらをまとめて途中階とする）への分岐接続構造を示し、図２（ｂ）は最下階１１ｃ（ピットを含む）への接続構造を示している。
【００２７】
図２（ａ）において、幹線ケーブル２８の分岐部分は、ビニルなどによる外装を除去して、複数の配線２８ａを外部に露出させている。ただし、従来のようにループ状に形成せず、図示のように直線状態のままとする。このうち、分岐対象の配線２８ａ１は中間部分で切断し、接続具３１により分岐線２９と分岐接続する。
【００２８】
すなわち、図４（ａ）で示すように、分岐対象の配線２８ａ１を選択し、その中間部を切断し、この切断端の絶縁被覆を除去する。同様に、分岐線２９についても、その先端部の絶縁被覆を除去しておく。
【００２９】
接続具３１は、図５で示すように、導電性材料により管状に形成された導電部３１ａと、その外面を覆う絶縁被覆（塩化ビニル等）３１ｂとからなる。絶縁被覆３１ｂの両端は、配線２８ａ１や分岐線２９の絶縁被覆部分が差し込まれる大径部３１ｂ１，３１ｂ２となっている。
【００３０】
分岐接続に当っては、図４（ｂ）で示すように、接続具３１の一端（図示上端）に、切断された配線２８ａ１の一方の切断端を挿入し、導電部３１ａの内面と接触可能に配置する。同様にして、接続具３１の他端（図示下端）に切断された配線２８ａ１の他方の切断端および分岐線２９の先端をそれぞれ挿入し、前記一方の切断端と間隔を保って突合せ状に対峙させると共に、これらを導電部３１ａの内面と接触可能に配置する。
【００３１】
この状態で接続具３１の両端近くの２箇所を外面からカシメ、配線２８ａ１の両切断端および分岐線２９の先端と接続具３１の導電部３１ａとを、一体的に導電結合する。この操作により配線２８ａ１と分岐線２９とは接続具３１を介して並列状態で分岐接続されたことになる。
【００３２】
ここで重要なことは、接続具３１内で突合せ状に対峙している配線２８ａ１の切断端の間に、所定長さ以上の間隔Ｄ（例えば、１４ｍｍ程度）を設け、分岐接続部の配線２８ａ１に図２（ａ）で示すようなたるみを持たせることである。すなわち、接続具３１の導電部３１ａの長さを、上記間隔Ｄを確保できる充分な長さとする。
【００３３】
このように構成すると、垂下された幹線ケーブル２８の自体の荷重（自重）は、分岐されないで直線状態を保っている複数の配線２８ａ２にすべて加わり、たるみを持たせた分岐接続部がケーブル２８の荷重を受けることはない。
【００３４】
もし、突合せ状に対峙している切断端の間隔が狭いと、図６で示すように、分岐されない配線２８ａ２の方にたるみが出てしまう。すなわち、上記接続具３１を用いずに、通常の突合せ接続端子３５を用いて同様の分岐接続を行なうと、分岐される配線２８ａ１の切断端の突合せ間隔は０〜１ｍｍとなる。また、突合せ接続端子の外径が配線の外径より大きいため、分岐接続される配線２８ａ１の長さは、分岐されない配線２８ａ２の長さより図示のように短くなってしまい、分岐されない配線２８ａ２の方にたるみが出てしまう。
【００３５】
このようになると、幹線ケーブル２８の荷重は、通常の突合せ接続端子３５で結合された分岐接続部に加わり、この部分が荷重に耐えられず破損してしまう。このため、図４で示したように、接続具３１を用い、分岐接続された配線２８ａ１の切断端の突合せ間隔Ｄを充分大きくとり、図２（ａ）で示すように分岐接続される配線２８ａ１をたるませることが重要である。
【００３６】
このように、垂下された幹線ケーブル２８の自体の荷重を、分岐されない直線状態の複数の配線２８ａ２に負担させているので、強度上、幹線ケーブル２８には、その全長に渡って（最下階１１ｃまで）分岐しない配線２８ａ２を所定本数以上確保する必要がある。分岐しない配線２８ａ２の本数は、ケーブルの２８を構成する配線２８ａの材質や全体の本数によって異なる。例えば、配線２８ａの総数が３６本のケーブル２８では、２５本程度を分岐しない配線２８ａ２としており、これらにより充分な強度を得ることができる。
【００３７】
ここで、途中で分岐しない配線２８ａ２とは、最下階１１ｃやピットに設けられた各種の電気機械・器具に直接接続される配線である。特に、ピットには図示しないが照明電源装置や地震感知器等、多くの機器を設けたため、そのための配線も多くなる。このため、途中で分岐しない配線２８ｂ２の本数を、強度上必要とする本数以上に確保することは充分に可能である。
【００３８】
なお、図２（ａ）において、３３は従来と同様の接続端子で、直列分岐接続に用いられる。すなわち、切断した配線２８ａ１の各切断端を、各接続端子３３にそれぞれ挿入して２本の分岐線２９に接続し、この２本の分岐線２９を介して図示しない外部回路（例えばドアスイッチ回路等）と直列接続している。この部分は、配線２８ａ１の切断端が外部回路に直列接続しているため、この外部回路部分がたるみと同じ機能を果たすので、特別な構造をとる必要はない。
【００３９】
図２（ｂ）は最下階１１ｃにおける接続構造を示している。この部分は、幹線ケーブル２８の下端となるので、その荷重が加わることはなく、途中で分岐接続されなかった配線２８ａ２のすべてを含む接続対象の配線２８ａの下端を、接続端子３３を介して接続線（他階の分岐線に相当）２９に接続し、最下階１１ｃのエレベータホールやピットに設けた各種の電気機械・器具に接続する。
【００４０】
上記構成において、幹線ケーブル２８は、建物１１の上部に設けられた図示しない制御盤から、エレベータ昇降路１１ｈ内に垂下され、最下階１１ｃのピットまで達している。この幹線ケーブル２８から、最上階１１ａや中間階１１ｂに分岐を行なう場合は、図２で示すように、幹線ケーブル２８の分岐対象部分の外装２８ｂを除去し、この部分の配線２８ａを露出させる。
【００４１】
次に、この配線２８ａから、該当階に分岐接続する配線２８ａ１を選択し、図４（ａ）で示すように、その長さ方向中間部を切断する。この場合、分岐対象の配線２８ａ１は図３で示すように、外層部分に配置されているため、容易に選択でき、かつ切断することができる。
【００４２】
分岐接続が並列分岐の場合は、切断された配線２８ａ１の両切断端を、図５で示した管状の接続具３１の両端に挿入し、接続具３１内にて所定の間隔を保って突合せ状に対峙させる。また、分岐線２９の先端を接続具３１のいずれか一端に挿入する。この後、接続具３１の両端近くの部分を外周面からカシメ、配線２８ａ１の両切断端及び分岐線２９の一端と、接続具３１の導電部３１ａとを一体的に導電結合する。
【００４３】
この作業により、接続対象の配線２８ａ１は、図２（ａ）で示すように、たるみを持った状態で分岐線２９を接続され、並列分岐が完成する。なお、直列分岐の場合は、従来のように、接続端子３３により外部回路と直列接続する。
【００４４】
ここで、幹線ケーブル２８には、その自重が荷重として長さ方向に加わっているが、この荷重は分岐されずに直線状態を維持している配線２８ａ２にすべてかかり、たるみを持った分岐接続部には全くかからない。すなわち、幹線ケーブル２８自体の荷重を、途中で分岐しない配線２８ａ２に持たせているので、従来のように幹線ケーブルを分岐部分のところでループ状に形成し、強固に結束する必要はない。
【００４５】
このため、幹線ケーブル２８は、建物１１の階数に応じた長さ分だけでよく、従来のようにループ状に引き回す余分な長さ（ループ長さ：例えば０．９ｍ×分岐数：階床数に比例）を要しないため、高層建物にあってはその長さを大幅に短縮することができる。
【００４６】
また、従来の幹線ケーブルをループ状に引き回し結束バンドで強固に結束する作業は、作業者に多大な労力を課すが、本発明ではこのような作業を要しないため、作業がはるかに容易となる。また、幹線ケーブルをループ状に形成した場合、その部分は３本のケーブルを並置した場合と同じ状態になり、分岐部分の構造が大形・複雑化するが、本発明では、幹線ケーブル２８をそのまま直線状に維持して分岐するので、この部分の形状が単純になり、コンパクト化される。したがって、この分岐部分にカバーを取り付ける場合、単なる筒状のカバーを取り付ければよい。
【００４７】
これらの結果、従来に比べ大幅に作業コスト、材料コストを低減化することができる。
【００４８】
【発明の効果】
本発明によれば、幹線ケーブルを直線状態に保ったまま、幹線ケーブルからの分岐接続が可能となるので、材料コスト及び作業コストを大幅に低減でき、分岐部分をコンパクト化することもできる。
【図面の簡単な説明】
【図１】本発明によるエレベータ昇降路配線分岐方法及びエレベータ昇降路配線の一実施の形態を説明するための全体構成図である。
【図２】同上一実施の形態における分岐接続部を示し、（ａ）は最上階及び中間階での分岐構造を、（ｂ）は最下階での分岐構造を示している。
【図３】同上一実施の形態に用いる幹線ケーブルの断面図である。
【図４】同上一実施の形態における分岐接続部の詳細構成を示しており、（ａ）は分岐対象の切断された配線と分岐船との関係を示し、（ｂ）は接続具による結合状態を示している。
【図５】同上一実施の形態に用いる接続具の正面図である。
【図６】分岐接続が正しく行なわれない状態を示す図である。
【図７】従来技術を説明する全体構成図である。
【図８】従来技術における分岐接続部を示し、（ａ）は最上階及び中間階での分岐構造を、（ｂ）は最下階での分岐構造を示している。
【符号の説明】
１１　　建物
１１ｈ　　昇降路
２８　　幹線ケーブル
２８ａ　　配線
２８ａ１　　分岐接続される配線
２８ａ２　　最下階まで分岐接続されない配線
２９　　分岐線
３１　　接続具
【図１】
2004067361.tif 000003
【図２】
2004067361.tif 000004
【図３】
2004067361.tif 000005
【図４】
2004067361.tif 000006
【図５】
2004067361.tif 000007
【図６】
2004067361.tif 000008
【図７】
2004067361.tif 000009
【図８】
2004067361.tif 000010